(57)【要約】【課題】  フレキシブルコンテナに収容された排出の困難な、流動性の悪い粒状または粉状物質を排出するに際して、フレキシブルコンテナの外部から打撃・振動等を与える等の排出補助作業を行わずに排出口を開封するだけで容易に収容物を排出することができるという優れた特徴を有するフレキシブルコンテナを提供する。【解決手段】  粒状または粉状物質を収容・運搬するために用いられるフレキシブルコンテナであって、少なくとも、充填口、収容部分および排出部分を有し、かつ、排出部分が該フレキシブルコンテナの収容部分と同一外周を有する筒部とコーン状に形成されたテーパー部および排出口とよりなることを特徴とする収容物の排出が容易なフレキシブルコンテナ。前記粒状または粉状物質が流動性の悪い無機フィラーである場合は、本発明が適用できる有用な態様である。【選択図】  図１
2005239179.tif 000002
【特許請求の範囲】
【請求項１】
粒状または粉状物質を収容・運搬するために用いられるフレキシブルコンテナであって、少なくとも、充填口、収容部分および排出部分を有し、かつ、排出部分が該フレキシブルコンテナの収容部分と同一外周を有する筒部とコーン状に形成されたテーパー部および排出口とよりなることを特徴とする収容物の排出が容易なフレキシブルコンテナ。
【請求項２】
前記粒状または粉状物質が流動性の悪い無機フィラーである請求項１記載のフレキシブルコンテナ。
【発明の詳細な説明】
【技術分野】
【０００１】
本発明は、収容物の排出が容易なフレキシブルコンテナ関するものである。更に詳しくは、フレキシブルコンテナに収容された排出の困難な粒状または粉状物質を容易に排出することができるという優れた特徴を有する収容物の排出が容易なフレキシブルコンテナに関するものである。
【背景技術】
【０００２】
フレキシブルコンテナは、粉状や粒状の材料等を運搬する場合等に広く用いられている。その材質及び形状は問わないが、通常はポリプロピレン、ポリエチレン、塩化ビニル等の材質の生地で円形または角形の筒状に形成した袋本体の上面に充填口を下面に排出口を縫合や溶着等により取り付けられ、さらに排出口の防護、防塵、防雨等のための底蓋及び底蓋押さえを装着したものである。従来のフレキシブルコンテナの排出口は、運搬先の受入ホッパーへ排出する際、排出口の開封作業性や受入ホッパー注入口の大きさの制約等により図２に示したような底部にノズル状の排出口を設けたものが一般である。しかし、充填された物質が流動性の悪い粉状物、例えばタルクのような無機フィラーの場合、運搬先の受入ホッパーへ排出する際、底蓋及び底蓋押さえ内に収納されている排出口を鉛直下方向に引き出し、開封しただけではフレキシブルコンテナ下面の面積に対し開口面積が小さいため、フレキシブルコンテナ内でブリッジングを起こして、流動性が阻害され収容物の排出が困難な場合が多かった。この解決策として、フレキシブルコンテナの外部から打撃・振動等を人力で与えたり、フレキシブルコンテナの内部に空気を出し入れしたり、外部から機械的に振動を発生する装置を設ける（たとえば、特許文献１参照）等、作業性が悪いことや設備費がかかる等の問題があり、いっそうの改良が望まれていた。
【０００３】
【特許文献１】特開平１１−３４３０３３号公報（第１頁−第４頁）
【発明の開示】
【発明が解決しようとする課題】
【０００４】
かかる現状において、本発明が解決しようとする課題は、フレキシブルコンテナに収容された排出の困難な、流動性の悪い粒状または粉状物質を排出するに際して、フレキシブルコンテナの外部から打撃・振動等を与える等の排出補助作業を行わずに排出口を開封するだけで容易に収容物を排出することができるという優れた特徴を有するフレキシブルコンテナを提供する点にある。
【課題を解決するための手段】
【０００５】
すなわち、本発明は、粒状または粉状物質を収容・運搬するために用いられるフレキシブルコンテナであって、少なくとも、充填口、収容部分および排出部分を有し、かつ、排出部分が該フレキシブルコンテナの収容部分と同一外周を有する筒部とコーン状に形成されたテーパー部および排出口とよりなることを特徴とする収容物の排出が容易なフレキシブルコンテナに係るものであり、前記粒状または粉状物質が流動性の悪い無機フィラーである場合は、本発明が適用できる有用な態様である。
【発明の効果】
【０００６】
本発明により、フレキシブルコンテナに収容された排出の困難な、流動性の悪い粒状または粉状物質を排出するに際して、フレキシブルコンテナの外部から打撃・振動等を与える等の排出補助作業を行わずに排出口を開封するだけで容易に収容物を排出することができるという優れた特徴を有するフレキシブルコンテナの提供が可能となる。
【発明を実施するための最良の形態】
【０００７】
本発明におけるフレキシブルコンテナとは、粒状または粉状物質を収容・運搬するために用いられるフレキシブルコンテナであって、その材質及び形状は問わないが、通常はポリプロピレン、ポリエチレン、塩化ビニル等の材質の生地で円形または角形の筒状に形成した袋本体の上面に充填口を下面に排出口を縫合や溶着等により取り付けたものが用いられ、さらに排出口の防護、防塵、防雨等のための底蓋及び底蓋押さえを装着したものである。
【０００８】
本発明の特徴を有するフレキシブルコンテナの一例を示した図１に基づいて、具体的に説明する。図１において、フレキシブルコンテナは充填口１１、収容部分１２、排出部分１３よりなっている。排出部分１３は、該フレキシブルコンテナの収容部分と同一外周を有する筒部１４とテーパー部１５で形成された排出口１６を有し、収容物を容易に排出するための構造となっている。
【０００９】
本発明のフレキシブルコンテナは、下記のごとく用いられる。排出部分１３を収容部分１２と排出部分１３との境界１４aで折り曲げて（折り曲げ部分の詳細は図示せず。）収容物が排出部分よりもれないようにした後、充填口１１より収容・運搬する粒状または粉状物質を充填し、所定の受入ホッパーの場所に運搬する。ついで、排出口を含む排出部分を開封すると収容部分の下面全面が筒部１４と共に開口される。筒部１４では、収容物はその流れが加速されて流出し、容易に収容物の排出が行われる。排出部分１３は、受入ホッパー注入口の大きさの制約を受けないようにテーパーをつけて先端部の排出口１６で細くなっている。
【００１０】
排出口１６は、従来の排出口のように、排出時の粉体等の漏れ防止用のガイド付排出口（図２、図３参照）にしてもよいが、ガイドを付けない方が筒部１４を伸ばして、ブリッジングを防止する効果がより大きく得られる。またフレキシブルコンテナを開口した場合の全体の長さや、受入ホッパーの粉体もれ防止の設備等を勘案して選ぶことができる。
【００１１】
充填時に、収容物が排出部分よりもれないようにする方法は、排出作業を容易にするために従来から行われているように、折り曲げた排出部分をいわゆるマジックテープで固定し、その上から菊割れ（図示せず）と称するフレキシブルコンテナのすそ部分の周囲に取り付けた６枚程度の三角形のカバーで覆い固定する。
【００１２】
本発明のフレキシブルコンテナは、粒状または粉状物質全般の収容・運搬に用いることができるが、特に流動性の悪いタルク、炭酸カルシウム等の無機フィラーや珪藻土、二酸化珪素等の粉状物の収容・運搬に有用に用いられる。流動性の悪い無機フィラーは、フレキシブルコンテナ下面の面積に対し排出口の開口面積が小さい従来のフレキシブルコンテナの場合、フレキシブルコンテナ内でブリッジングを起こすため運搬先の受入ホッパーへ排出する際、排出口を開封しただけでは排出不能あるいは排出困難となるからである。
【００１３】
実施例１
図１に示したような、本発明の特徴を有する円筒状のフレキシブルコンテナ（直径１１００ｍｍ、高さ１３００ｍｍ）を用いた。排出部分の構造は、筒部１４（直径１１００ｍｍ、長さ３００ｍｍ）とテーパー部１５（長さ６００ｍｍ）およびテーパー部先端の排出口１６（直径６００ｍｍ）よりなっている。上記のフレキシブルコンテナの収容部分１２と排出部分の境界１４ａで折り曲げて排出部分１３をたたみこみ、粉体がもれないようにマジックテープ等で（図示せず）で固定した後、流動性の悪い無機フィラーとしてタルクを７００ｋｇ充填、所定の場所へ運搬し、受入ホッパー注入口でフレキシブルコンテナの排出部分のマジックテープをはずして、排出口１６から排出した。その結果、フレキシブルコンテナの外部から打撃・振動等を与えなくても６１秒で排出できた。
【００１４】
比較例１
図２に示すような、従来の円形筒状のフレキシブルコンテナ（収容部分２２：直径１１００ｍｍ、高さ１３００ｍｍ、排出口２３：直径５００ｍｍ、長さ５２０ｍｍ）を用いた。実施例１と同様にして排出口２３から排出した。その結果、排出が完了するまでフレキシブルコンテナの外部から人手で打撃・振動等を与えながら１０分を要した。
【００１５】
比較例２
図３に示すような、従来の円形筒状のフレキシブルコンテナ（収容部分３２：直径１１００ｍｍ、高さ１３００ｍｍ、テーパー部：下部の直径６００ｍｍ、長さ５００ｍｍ、ガイド付排出口３６：直径６００ｍｍ、長さ４００ｍｍ）を用いた。実施例１と同様にして排出口３６から排出した。その結果、排出が完了するまでフレキシブルコンテナの外部から人手で打撃・振動等を与えながら６分を要した。以上の実施例１、比較例１，２でわかるように本発明の特徴を有するフレキシブルコンテナを用いることによって、排出困難な粉体等も容易にかつ迅速に排出することができる。
【図面の簡単な説明】
【００１６】
【図１】本発明の特徴を有するフレキシブルコンテナの一例を示す側面図である。
【図２】比較例１で用いた従来のフレキシブルコンテナを示す側面図である。
【図３】比較例２で用いた従来のフレキシブルコンテナを示す側面図である。
【符号の説明】
【００１７】
１１…充填口、１２…収容部分、１３…排出部分、１４…筒部、１４a…収容部分と排出部分の境界、１５…テーパー部、１５a…筒部とテーパー部との境界、１６…排出口、２１…充填口、２２…収容部分、２３…排出部分、３１…充填口、３２…収容部分、３３…排出部分、３５…テーパー部、３５a…収容部分とテーパー部の境界、３６…排出口
【図１】
2005239179.tif 000003
【図２】
2005239179.tif 000004
【図３】
2005239179.tif 000005